(57)【要約】【課題】ユーザーに煩わしい操作を要求することもなく、毛髪等の乾燥後のユーザーの意思を速やかに反映させることができ、使い勝手に優れたドライヤーを提供する。【解決手段】ドライヤーは、加熱源としての発光体４と、人体の接触または近接を検知するタッチセンサ１２とを備えている。発光体４の点灯状態において、タッチセンサ１２が人体を検知する検知状態から、人体を検知しない非検知状態になると、発光体４が消灯するように構成する。【選択図】図１
2019072373.tif 000002
【特許請求の範囲】
【請求項１】
加熱源としての発光体（４）と、人体の接触または近接を検知するタッチセンサ（１２）とを備えており、
発光体（４）の点灯状態において、タッチセンサ（１２）が人体を検知する検知状態から、人体を検知しない非検知状態になると、発光体（４）が消灯するように構成されていることを特徴とするドライヤー。
【請求項２】
発光体（４）がハロゲンランプである請求項１に記載のドライヤー。
【請求項３】
一端に照射口（９）を有する筒状の本体ケース（１）を備えており、
本体ケース（１）の内部に発光体（４）が配置されて、照射口（９）に正対しており、
本体ケース（１）の外面にタッチセンサ（１２）が配置されている請求項１または２に記載のドライヤー。
【請求項４】
本体ケース（１）の周方向の全長にわたってタッチセンサ（１２）が配置されている請求項３に記載のドライヤー。
【請求項５】
本体ケース（１）の内部に配置される送風手段（３）を備えており、
本体ケース（１）の一端に照射口（９）を兼ねる吹出口（８）が形成され、他端に吸込口（７）が形成されている請求項３または４に記載のドライヤー。
【請求項６】
ユーザーによりオンオフ操作される電源スイッチ（１４）を備えており、
電源スイッチ（１４）がオフ状態のときに、タッチセンサ（１２）が人体を検知しても、発光体（４）は点灯しないように構成されている請求項１から５のいずれかひとつに記載のドライヤー。
【請求項７】
発光体（４）の消灯後に、電源スイッチ（１４）がオン操作されないまま、タッチセンサ（１２）が人体を再検知しても、発光体（４）は点灯しないように構成されている請求項６に記載のドライヤー。
【請求項８】
発光体（４）の消灯後に、電源スイッチ（１４）がオン操作されて、かつ、タッチセンサ（１２）が人体を再検知すると、発光体（４）が点灯するように構成されている請求項７に記載のドライヤー。
【請求項９】
タッチセンサ（１２）が人体を検知する状態で、電源スイッチ（１４）がオン操作されて初めて発光体（４）が点灯するように構成されている請求項６から８のいずれかひとつに記載のドライヤー。
【請求項１０】
発光体（４）を収容する本体ケース（１）の外面に、電源スイッチ（１４）の操作部（１５）が配置されており、
操作部（１５）がタッチセンサ（１２）を構成する請求項６から９のいずれかひとつに記載のドライヤー。
【請求項１１】
発光体（４）の消灯の時点から計時を開始するタイマー（６５）を備えており、
計時を開始してからの経過時間（Ｔ）が所定の待機時間（Ｔ１）に達する前に、タッチセンサ（１２）が人体を再検知すると、発光体（４）が点灯するように構成されており、
経過時間（Ｔ）が待機時間（Ｔ１）に達してから、タッチセンサ（１２）が人体を再検知しても、発光体（４）は点灯しないように構成されている請求項６に記載のドライヤー。
【請求項１２】
吸込口（７）と吹出口（８）を備える筒状の本体ケース（１）の内部に、送風手段（３）と発光体（４）が配置されており、
照射口（９）を兼ねる吹出口（８）と発光体（４）との間に、発光体（４）から放射される電磁波の一部を吸収する光学フィルタ（６０）が配置されており、
光学フィルタ（６０）が、吹出口（８）に装着された吹出グリル（５３）で支持されている請求項１から１１のいずれかひとつに記載のドライヤー。
【請求項１３】
吹出グリル（５３）が、本体ケース（１）の内周面に沿うリング状に形成されており、
照射口（９）に臨む光学フィルタ（６０）の一面の周縁部が、吹出グリル（５３）の内周面に設けられた段部（６１）で支持されており、
発光体（４）の光源（３８）の周囲に、照射口（９）に向かって開口する集光用のリフレクタ（４２）が配置されており、
光源（３８）に臨む光学フィルタ（６０）の他面の周縁部が、リフレクタ（４２）の開口周縁で支持されており、
光学フィルタ（６０）の周縁部が厚み方向の両側から段部（６１）とリフレクタ（４２）により挟持固定されている請求項１２に記載のドライヤー。
【請求項１４】
本体ケース（１）の内部に、リフレクタ（４２）の外周面を支持する支持枠（４７）が設けられており、
支持枠（４７）は放射状に組まれた板材（４８・４９）からなり、送風手段（３）により生成される風の整流体を兼ねる請求項１３に記載のドライヤー。
【請求項１５】
発光体（４）が支持枠（４７）で支持されている請求項１４に記載のドライヤー。
【発明の詳細な説明】
【技術分野】
【０００１】
本発明は、加熱源としての発光体を備えるドライヤーに関する。本発明に係るドライヤーには、毛髪の乾燥のためのヘアードライヤーだけでなく、手足など身体の乾燥のための乾燥装置も含まれるものとする。
【背景技術】
【０００２】
この種のドライヤーは例えば特許文献１に開示されている。特許文献１のヘアードライヤーでは、筒状の本体ケース（ハウジング）の内部に、ニクロム線からなるヒータに加えて、もう１つの加熱源としてのハロゲンランプが配置されている。ヒータが主に空気流（風）を加熱するのに対し、ハロゲンランプは主に毛髪へ向けて熱線を放射する。放射熱線による輻射加熱方式は、温風による対流加熱方式に比べて、毛髪全体を均一に加熱することができる。対流加熱方式と輻射加熱方式を併用すると、毛髪を短時間で効率良く乾燥させることができる。特許文献１においてハロゲンランプ等は、グリップ部に設けられたスイッチでオンオフ操作される。
【先行技術文献】
【特許文献】
【０００３】
【特許文献１】特開２００５−１７７２３４号公報
【発明の概要】
【発明が解決しようとする課題】
【０００４】
特許文献１のような従来のドライヤーを使用する場合、毛髪等の乾燥を終えたユーザーは、グリップ部に設けられたスイッチをオフ操作して、その駆動を停止させる必要がある。しかし、ユーザーによっては、スイッチをわざわざオフ操作するのは煩わしいと感じることがある。ユーザーがドライヤーを停止させようと考えてから、グリップ部のスイッチをオフ操作し、実際にドライヤーが停止するまでには、確実にタイムラグが存在しており、これを不快に感じるユーザーも存在する。
【０００５】
本発明の目的は、ユーザーに煩わしい操作を要求することもなく、毛髪等の乾燥後のユーザーの意思を速やかに反映させることができ、使い勝手に優れたドライヤーを提供することにある。
【課題を解決するための手段】
【０００６】
本発明に係るドライヤーは、加熱源としての発光体４と、人体の接触または近接を検知するタッチセンサ１２とを備えている。発光体４の点灯状態において、タッチセンサ１２が人体を検知する検知状態から、人体を検知しない非検知状態になると、発光体４が消灯するように構成されていることを特徴とする。
【０００７】
発光体４がハロゲンランプである形態を採ることができる。
【０００８】
一端に照射口９を有する筒状の本体ケース１を備えており、本体ケース１の内部に発光体４が配置されて、照射口９に正対しており、本体ケース１の外面にタッチセンサ１２が配置されている形態を採ることができる。
【０００９】
本体ケース１の周方向の全長にわたってタッチセンサ１２が配置されている形態を採ることができる。
【００１０】
本体ケース１の内部に配置される送風手段３を備えており、本体ケース１の一端に照射口９を兼ねる吹出口８が形成され、他端に吸込口７が形成されている形態を採ることができる。
【００１１】
ユーザーによりオンオフ操作される電源スイッチ１４を備えており、電源スイッチ１４がオフ状態のときに、タッチセンサ１２が人体を検知しても、発光体４は点灯しないように構成されている形態を採ることができる。
【００１２】
発光体４の消灯後に、電源スイッチ１４がオン操作されないまま、タッチセンサ１２が人体を再検知しても、発光体４は点灯しないように構成されている形態を採ることができる。
【００１３】
発光体４の消灯後に、電源スイッチ１４がオン操作されて、かつ、タッチセンサ１２が人体を再検知すると、発光体４が点灯するように構成されている形態を採ることができる。
【００１４】
タッチセンサ１２が人体を検知する状態で、電源スイッチ１４がオン操作されて初めて発光体４が点灯するように構成されている形態を採ることができる。
【００１５】
発光体４を収容する本体ケース１の外面に、電源スイッチ１４の操作部１５が配置されており、電源スイッチ１４の操作部１５がタッチセンサ１２を構成する形態を採ることができる。
【００１６】
発光体４の消灯の時点から計時を開始するタイマー６５を備えており、計時を開始してからの経過時間Ｔが所定の待機時間Ｔ１に達する前に、タッチセンサ１２が人体を再検知すると、発光体４が点灯するように構成されており、経過時間Ｔが待機時間Ｔ１に達してから、タッチセンサ１２が人体を再検知しても、発光体４は点灯しないように構成されている形態を採ることができる。
【００１７】
吸込口７と吹出口８を備える筒状の本体ケース１の内部に、送風手段３と発光体４を配置し、照射口９を兼ねる吹出口８と発光体４との間に、発光体４から放射される電磁波の一部を吸収する光学フィルタ６０を配置し、光学フィルタ６０を、吹出口８に装着された吹出グリル５３で支持することができる。
【００１８】
吹出グリル５３を、本体ケース１の内周面に沿うリング状に形成し、照射口９に臨む光学フィルタ６０の一面の周縁部を、吹出グリル５３の内周面に設けられた段部６１で支持する。発光体４の光源３８の周囲に、照射口９に向かって開口する集光用のリフレクタ４２を配置し、光源３８に臨む光学フィルタ６０の他面の周縁部を、リフレクタ４２の開口周縁で支持する。以て、光学フィルタ６０の周縁部を厚み方向の両側から段部６１とリフレクタ４２により挟持固定することができる。
【００１９】
本体ケース１の内部に、リフレクタ４２の外周面を支持する支持枠４７が設けられており、支持枠４７は放射状に組まれた板材４８・４９からなり、送風手段３により生成される風の整流体を兼ねる形態を採ることができる。
【００２０】
発光体４を支持枠４７で支持することができる。
【発明の効果】
【００２１】
本発明に係るドライヤーは、加熱源としての発光体４に加えて、人体の接触または近接を検知するタッチセンサ１２を備えており、このタッチセンサ１２が人体を検知しない非検知状態になると、発光体４が消灯するように構成した。このドライヤーによる毛髪等の乾燥を終えたユーザーは、タッチセンサ１２から人体を離すだけで発光体４を消灯させることができる。従って、本発明によれば、ユーザーに煩わしい操作を要求することもなく、毛髪等の乾燥後のユーザーの意思を速やかに反映させることができ、使い勝手に優れたドライヤーを提供することができる。
【００２２】
ハロゲンランプは、ランプの中で比較的小型でありながら、発熱量が多いという特徴がある。従って、発光体４としてハロゲンランプを採用すると、ドライヤーの小型化と毛髪等の乾燥効率の向上に寄与することができる。
【００２３】
発光体４を内部に収容する本体ケース１の外面にタッチセンサ１２を配置すると、ユーザーが本体ケース１を手で掴むだけで、タッチセンサ１２は検知状態となる。ユーザーにとっては、タッチセンサ１２に無理なく触れることが可能となり、ドライヤーの使い勝手が向上する。
【００２４】
本体ケース１の周方向の一部にのみタッチセンサ１２が配置されていると、ユーザーがタッチセンサ１２の位置を意識せずに本体ケース１を手で掴んだとき、指がタッチセンサ１２に触れず、タッチセンサ１２が検知状態にならないことがある。これに対して本発明のように、本体ケース１の周方向の全長にわたってタッチセンサ１２を配置すると、ユーザーがタッチセンサ１２の位置を意識せずに本体ケース１を掴んだ場合でも、タッチセンサ１２が検知状態になる可能性が高くなる。ユーザーにとっては、指がタッチセンサ１２に触れるように本体ケース１を持ち替える機会が大幅に少なくなり、ドライヤーの使い勝手が向上する。
【００２５】
本体ケース１の内部に送風手段３を配置すると、発光体４とその周囲を風で冷却して、これらが過熱状態に陥ることを防止することができる。また、発光体４を通過することで加熱された温風を、照射口９を兼ねる吹出口８からユーザーの毛髪等へ供給して、この温風と発光体４からの赤外線とで毛髪等を乾燥させることができ、従って毛髪等の乾燥効率を向上させることができる。
【００２６】
電源スイッチ１４がオフ状態のときに、タッチセンサ１２が人体を検知しても（ユーザーがタッチセンサ１２に触れても）、発光体４は点灯しないように構成すると、ユーザーの意図に反する発光体４の点灯をよく防止することができる。タッチセンサ１２はユーザーの意識の有無にかかわらず、検知状態に切り換わることがあるが、電源スイッチ１４はユーザーが意識して操作しなければ、オン状態に切り換わることは少ない。そのため、タッチセンサ１２の状態のみに基づいて発光体４を制御する場合は、不意にタッチセンサ１２が人体を検知して発光体４が点灯し、ユーザーを驚かせるおそれがあるが、本発明のように電源スイッチ１４を設けると、ユーザーは発光体４の点灯を見越して電源スイッチ１４を操作するのが普通であるため、発光体４の点灯に驚くことは稀である。
【００２７】
発光体４の消灯後に、電源スイッチ１４がオン操作されないまま、タッチセンサ１２が人体を再検知しても、発光体４は点灯しないように構成することができる。これによれば、ドライヤーの使用を終えたユーザーが、タッチセンサ１２に不用意に触れてしまった場合に、発光体４が無駄に点灯することを確実に防止することができる。
【００２８】
発光体４の消灯後に、電源スイッチ１４がオン操作されて、かつ、タッチセンサ１２が人体を再検知すると、発光体４が点灯するように構成することができる。このように、発光体４の再点灯にあたり、ユーザーに電源スイッチ１４のオン操作を要求すると、ユーザーの意図に反する発光体４の再点灯を確実に防止することができる。
【００２９】
タッチセンサ１２が人体を検知する状態で、電源スイッチ１４がオン操作されて初めて発光体４が点灯するように構成することができる。換言すれば、先に電源スイッチ１４がオン状態に切り換わり、その状態でタッチセンサ１２が人体を検知しても、発光体４は点灯しないように構成した。これによれば、ユーザーが以前に電源スイッチ１４を切り忘れていた場合の、発光体４の不意な点灯を防止することができる。すなわち、本発明とは逆に、タッチセンサ１２より先に電源スイッチ１４をオン操作することを許容する場合は、電源スイッチ１４を切り忘れた状態で、ユーザーがドライヤーを手に取ったとき、指がタッチセンサ１２に触れて、タッチセンサ１２が検知状態となり、発光体４が点灯することがある。これに対して本発明のように、タッチセンサ１２の検知状態における電源スイッチ１４のオン操作のみを許容すると、ユーザーがドライヤーを手に取っただけでは発光体４が点灯することはなく、不意な点灯でユーザーを驚かせることは無い。
【００３０】
電源スイッチ１４の操作部１５がタッチセンサ１２を構成していると、ユーザーは電源スイッチ１４を操作するときに、意識することなくタッチセンサ１２を検知状態に切り換えることができ、これによりユーザーの利便性が向上する。
【００３１】
ドライヤーの使用中に、ユーザーの指がタッチセンサ１２から浮き離れて、発光体４が消灯することがある。使用の途中でドライヤーを例えば右手から左手に持ち替えるときに指がタッチセンサ１２から離れることもある。これらの場合に、ユーザーが直ちにタッチセンサ１２に触れ直したとしても、電源スイッチ１４の再操作を要求することは、ユーザーの利便性の観点から好ましくない。そこで本発明では、発光体４の消灯の時点からの経過時間Ｔをタイマー６５で計測し、経過時間Ｔが所定の待機時間Ｔ１に達する前にタッチセンサ１２が人体を再検知した場合は、ユーザーに電源スイッチ１４の再操作を要求することなく、発光体４を点灯させるようにした。これにより、ユーザーの利便性を向上させることができる。
【００３２】
本体ケース１の内部に送風手段３と発光体４を配置し、吹出口８と発光体４の間に光学フィルタ６０を配置すると、発光体４から放射される電磁波の吸収により発熱した光学フィルタ６０を、吹出口８に向かって流れる風で冷却することができる。さらに、光学フィルタ６０を吹出グリル５３で支持すると、光学フィルタ６０の熱を吹出グリル５３を介して放熱することができる。
【００３３】
リング状に形成した吹出グリル５３の内周面に、照射口９に臨む光学フィルタ６０の一面の周縁部を支持する段部６１を形成し、発光体４の光源３８の周囲に配置した集光用のリフレクタ４２の開口周縁で、光源３８に臨む光学フィルタ６０の他面の周縁部を支持する。そして、光学フィルタ６０の周縁部を厚み方向の両側から段部６１とリフレクタ４２により挟持固定する。これによれば、光学フィルタ６０を支持するための専用の部材を別途用意する場合に比べて、ドライヤーの部品点数を減らして、その製造コストを削減することができる。
【００３４】
リフレクタ４２を支持する支持枠４７が、放射状に組まれた板材４８・４９からなり、送風手段３により生成される風の整流体を兼ねる。これによれば、リフレクタ４２の支持構造と風の整流体とを別部材で構成する場合に比べて、ドライヤーの部品点数を減らして、その製造コストを削減することができる。
【００３５】
支持枠４７でリフレクタ４２に加えて発光体４を支持すると、リフレクタ４２と発光体４をそれぞれ別の部材で支持する場合に比べて、ドライヤーの部品点数を減らして、その製造コストを削減することができる。
【図面の簡単な説明】
【００３６】
【図１】本発明の実施例１に係るドライヤーの側面図である。
【図２】実施例１に係るドライヤーの縦断側面図である。
【図３】実施例１に係るドライヤーの後部の縦断側面図である。
【図４】実施例１に係るドライヤーを分解した状態の縦断側面図である。
【図５】実施例１に係るドライヤーの主要な内部要素の分解斜視図である。
【図６】図２におけるＡ−Ａ線断面図である。
【図７】実施例１に係るドライヤーの前部の縦断側面図である。
【図８】実施例１に係るドライヤーの外観を示す六面図と斜視図である。
【図９】実施例１に係るドライヤーの制御系のブロック図である。
【図１０】実施例１に係るドライヤーの制御手順を示すフローチャートである。
【図１１】実施例１に係るドライヤーにおける制御の一例を示すタイミングチャートである。
【図１２】本発明の実施例２に係るドライヤーの側面図である。
【図１３】本発明の実施例３に係るドライヤーの側面図である。
【図１４】本発明の実施例４に係るドライヤーの側面図である。
【図１５】本発明の実施例５に係るドライヤーの制御手順を示すフローチャートである。
【図１６】本発明の実施例６に係るドライヤーの制御の一例を示すタイミングチャートである。
【図１７】本発明の実施例７に係るドライヤーの側面図である。
【図１８】実施例７に係るドライヤーの制御手順を示すフローチャートである。
【図１９】実施例７に係るドライヤーにおける制御の一例を示すタイミングチャートである。
【発明を実施するための形態】
【００３７】
（実施例１）  図１ないし図１１に、本発明をヘアードライヤーに適用した実施例１を示す。本実施例における前後、左右、上下とは、図１および図６に示す交差矢印と、各矢印の近傍に表記した前後、左右、上下の表示に従う。図１および図２においてヘアードライヤーは、グリップを兼ねる前後に長い本体ケース１の内部に、ファンモータ２で回転駆動される軸流型の送風ファン（送風手段）３と、加熱源としてのハロゲンランプ（発光体）４などを収容して構成される。本体ケース１は、上下一対の半割体５・６を接合して円筒状に形成されており、その後端には空気の吸込口７が形成され、前端には空気の吹出口８が形成される。送風ファン３は本体ケース１の後半部に配置され、ハロゲンランプ４は本体ケース１の前半部に配置される。ハロゲンランプ４が正対する吹出口８は、ハロゲンランプ４から放射される赤外線（熱線）をユーザーの毛髪へ向けて照射する照射口９を兼ねる。
【００３８】
本体ケース１の側面の大部分は、人体の接触または近接を検知するタッチセンサ１２で覆われており、タッチセンサ１２の上部に開口された操作溝１３には、スライドスイッチからなる電源スイッチ１４の操作部１５が配置されている。電源スイッチ１４のスライドレバー１６が操作部１５の裏面に連結されており、操作部１５が本体ケース１の側面に沿って前後にスライド操作されると、スライドレバー１６が操作部１５と共にスライド移動して、電源スイッチ１４のオンオフ状態が切り換わるように構成されている。ユーザーは本体ケース１を握る手の１本の指で操作部１５をスライド操作することができる。
【００３９】
電源スイッチ１４は、本体ケース１の上部に形成された収容凹部１７に収容されている。操作部１５は、その前後位置にかかわらず、収容凹部１７の開口面（上面）の全体を覆う。本体ケース１の下部にも収容凹部１８が形成されており、そこにはファンモータ２やハロゲンランプ４などを制御する制御基板１９が収容されている。下側の収容凹部１８の開口面（下面）はタッチセンサ１２で覆われる。本実施例のように、グリップを兼ねる本体ケース１の側面の全体を、操作溝１３を除いてタッチセンサ１２で覆うと、操作部１５の操作時を含むヘアードライヤーの使用時において、タッチセンサ１２は確実に人体を検知する検知状態となる。
【００４０】
本体ケース１の吸込口７には吸込グリル２２が装着されており、吸込グリル２２の中央には、給電コード２３のプラグ２４を接続するためのソケット２５が設けられている。ソケット２５は不図示のリード線で制御基板１９に接続される。プラグ２４はソケット２５に対して着脱自在である。ヘアードライヤーの不使用時には、本体ケース１の後端にキャップ２６が着脱自在に装着される。キャップ２６は、本体ケース１と同径の有底容器状に形成されており、吸込グリル２２とソケット２５を覆うとともに給電コード２３の全体を収容する（図３参照）。キャップ２６の底面は平坦であるため、該底面を下にした起立姿勢でヘアードライヤーを保管することができる。本実施例では、本体ケース１とキャップ２６の外径をそれぞれ７０ｍｍに設定した。
【００４１】
図２および図４に示すように、ファンモータ２と送風ファン３はファンケース２９で支持される。ファンケース２９は、送風ファン３の周囲を囲む円筒状の外筒体３０と、ファンモータ２の後端部が装着されるホルダー部３１と、ファンモータ２の後部の周囲を囲む円筒状の内筒体３２と、外筒体３０と内筒体３２を放射状に繋ぐ複数個の整流翼３３などを一体に備えている。外筒体３０の前端にはフランジ３４が外向きに張り出し形成されて、本体ケース１の内面に周回状に形成された係合溝３５に係合している。この係合により、ファンケース２９が本体ケース１に対して固定されている。
【００４２】
図５においてハロゲンランプ４は、光源３８とハウジング３９を前後に接続して構成される。光源３８の後端とハウジング３９の前端には、対になる雄コネクタ４０と雌コネクタ４１がそれぞれ設けられている。ハウジング３９は不図示のリード線を介して制御基板１９に接続されている。光源３８の周囲には集光用のリフレクタ４２が配置されている。リフレクタ４２は、アルミニウムなどの金属を素材として、照射口９に向かって開口する丸底円筒状に形成されており、その底部中央に形成された挿通孔４３を介して光源３８とハウジング３９が接続されている。リフレクタ４２の前縁（開口周縁）には、該前縁を補強する目的で、リング状のフランジ４４が外向きに張り出し形成されている。フランジ４４の外周面の上下左右の４個所には、後述する支持枠４７の前端部を受け入れる係合凹部４５が形成されている。本実施例のようにリフレクタ４２と一体にフランジ４４を設けると、リフレクタ４２の強度を高めることができる。なお、リフレクタ４２とフランジ４４は別体で形成することもできる。
【００４３】
リフレクタ４２とハロゲンランプ４のハウジング３９とは、十文字状に組まれた支持枠４７で支持される。支持枠４７は、本体ケース１の内径にほぼ等しい幅寸法を有する１枚の幅広板（板材）４８と、幅広板４８の半分よりやや小さい幅寸法を有する２枚の幅狭板（板材）４９とを一体化して構成される。幅広板４８と幅狭板４９はそれぞれマイカ製である。リフレクタ４２は幅広板４８と幅狭板４９により四方（上下左右）から挟持され、ハウジング３９は２枚の幅狭板４９により上下から挟持される。リフレクタ４２のフランジ４４に設けた左右の係合凹部４５には、幅広板４８の左右両側の前端部が係合し、上下の係合凹部４５には、各幅狭板４９の前端部が係合する。これにより、支持枠４７に対するリフレクタ４２の回転が規制されて、リフレクタ４２は安定した姿勢で支持枠４７に支持される。また、支持枠４７を構成する各板４８・４９の前端部を、フランジ４４の各係合凹部４５に差し込むと、支持枠４７の組み付け状態が安定する。支持枠４７は、送風ファン３が生成する風の整流体を兼ねるとともに、ファンモータ２の前半部を四方（上下左右）から支持する（図２参照）。各板４８・４９の後端部は、ファンケース２９の前端部に設けられた不図示のスリットに差し込まれており、これにより本体ケース１に対する支持枠４７の回転が規制されている。また図６に示すように、本体ケース１の内面の上下には、幅狭板４９を両側から挟み込む一対の位置決め突起５０が設けられており、これによっても本体ケース１に対する支持枠４７の回転が規制されている。
【００４４】
図６および図７に示すように、本体ケース１の吹出口８（照射口９）には、アルミニウムなどの金属からなる吹出グリル５３が装着されている。吹出グリル５３は、同軸状に形成される円筒状の外筒体５４および内筒体５５と、両筒体５４・５５を放射状に繋ぐ複数個の整流翼５６などを一体に備えている。本体ケース１の前端部の内面には、浅い装着溝５７が周回状に凹み形成されており、この装着溝５７に吹出グリル５３の外筒体５４が嵌まり込むことにより、吹出グリル５３の本体ケース１に対する前後方向（軸方向）と径方向のズレ動きが規制されている。
【００４５】
吹出グリル５３の内筒体５５の内側には、ガラス製の円板状の光学フィルタ６０が装着される。詳しくは、内筒体５５の内周面は、後側の大径部と前側の小径部とを備える段付き状に形成されている。光学フィルタ６０は、内筒体５５の大径部の内側に後方から収容されて、その周面が該大径部に受け止められる。さらに、光学フィルタ６０の周縁部が、内筒体５５の内周面に周回状に形成された段部６１と、リフレクタ４２の前縁とにより、前後から挟持固定される。内筒体５５の大径部はリフレクタ４２のフランジ４４と略同一の外径寸法を有しており、光学フィルタ６０は、フランジ４４を除くリフレクタ４２の前縁と略同一の径寸法を有している。
【００４６】
光学フィルタ６０は、波長が短い電磁波を吸収するロングパスフィルタからなり、ハロゲンランプ４の光源３８から放射される可視光線と赤外線のうち、主に前者を吸収する。本実施例では、光源３８が４００〜３０００ｎｍの波長の電磁波（可視光線と赤外線）を放射し、この電磁波のうち波長が７００ｎｍ以下の可視光線を光学フィルタ６０で吸収するようにして、光源３８の眩しさを軽減するようにした。可視光線の吸収により光学フィルタ６０は発熱し、この熱は光学フィルタ６０を支持する吹出グリル５３に伝導する。本実施例では、熱伝導率が比較的高いアルミニウムなどの金属で吹出グリル５３を形成するので、光学フィルタ６０から吹出グリル５３への熱伝導を促進して、光学フィルタ６０の温度上昇を抑制することができる。吹出グリル５３は、外筒体５４と内筒体５５の間を通過する風との間で熱交換することにより効率良く冷却される。吹出グリル５３を効率良く冷却すると、光学フィルタ６０から吹出グリル５３への熱伝導、すなわち光学フィルタ６０の冷却をより促進することができる。なお、本実施例に係るヘアードライヤーの外観は、図８の六面図と斜視図に示すとおりである。
【００４７】
図９において、制御基板１９に実装された制御部６４は、電源スイッチ１４とタッチセンサ１２の状態に基づいて、商用電源からハロゲンランプ４とファンモータ２へ供給される駆動電流を制御する。大まかには、電源スイッチ１４がオン状態であり、かつ、タッチセンサ１２が人体を検知する検知状態であると、制御部６４はハロゲンランプ４とファンモータ２へ駆動電流を供給する。電源スイッチ１４がオフ状態に切り換わるか、または、タッチセンサ１２が人体を検知しない非検知状態になると、制御部６４はハロゲンランプ４とファンモータ２への駆動電流の供給を停止する。
【００４８】
詳しくは、図１０のフローチャートに示すように、タッチセンサ１２の検知状態（ステップＳ１でＹＥＳ）において、電源スイッチ１４がオフ状態からオン状態に切り換わると（ステップＳ２でＹＥＳ）、制御部６４はハロゲンランプ４に駆動電流を供給してこれを点灯させるとともに、ファンモータ２に駆動電流を供給して送風ファン３を駆動させる（ステップＳ３）。
【００４９】
なお本実施例では、タッチセンサ１２の非検知状態において電源スイッチ１４がオフ状態からオン状態に切り換わり、その後にタッチセンサ１２が検知状態になっても、制御部６４はハロゲンランプ４とファンモータ２に駆動電流を供給しない。このような制御を採用したのは、ユーザーの意図に反するハロゲンランプ４の点灯などによりユーザーを驚かせるのを防ぐためである。電源スイッチ１４がオン状態になっていることに気付かないユーザーが、例えばヘアードライヤーを移動させる目的でこれを手に取った場合、本体ケース１の側面を覆うタッチセンサ１２が検知状態となる。このような場合にハロゲンランプ４を点灯させることは好ましくないため、本実施例では上記の制御を採用した。なお本発明は、上記の制御とは逆の制御、すなわち、タッチセンサ１２の非検知状態において電源スイッチ１４がオフ状態からオン状態に切り換わり、その後にタッチセンサ１２が検知状態になった場合にも、ハロゲンランプ４とファンモータ２に駆動電流を供給する制御を除外するものではない。
【００５０】
ハロゲンランプ４とファンモータ２への駆動電流の供給を開始した制御部６４は、タッチセンサ１２の検知状態（ステップＳ４でＹＥＳ）と電源スイッチ１４のオン状態（ステップＳ５でＹＥＳ）が維持される間、当該駆動電流を供給し続ける。この状態で、タッチセンサ１２と電源スイッチ１４のうち、先に電源スイッチ１４がオフ状態になると（ステップＳ５でＮＯ）、制御部６４は駆動電流の供給を停止して、ハロゲンランプ４を消灯させ、さらに送風ファン３を停止させて（ステップＳ６）、ステップＳ１へ戻る。先にタッチセンサ１２が非検知状態になった場合（ステップＳ４でＮＯ）も同様に、ハロゲンランプ４を消灯させ、さらに送風ファン３を停止させるが（ステップＳ７）、その後はステップＳ１には戻らず、次のステップＳ８へ進む。
【００５１】
ステップＳ８では、制御部６４が備えるタイマー６５（図９参照）による計時を開始する。計時を開始してからの経過時間Ｔが、所定の待機時間Ｔ１（例えば２秒）に達する前（ステップＳ１０でＮＯ）に、電源スイッチ１４がオン状態に維持されたまま（ステップＳ１１でＹＥＳ）、タッチセンサ１２が検知状態になった場合（ステップＳ９でＹＥＳ）は、制御部６４はタイマー６５による計時を停止して（ステップＳ１２）、ステップＳ３へ戻り、ハロゲンランプ４とファンモータ２への駆動電流の供給を再開する。すなわち、ハロゲンランプ４を再び点灯させ、さらに送風ファン３を再び駆動させる。一方、待機時間Ｔ１が経過する前に、電源スイッチ１４がオフ状態に切り換わった場合（ステップＳ１１でＮＯ）、および、タッチセンサ１２と電源スイッチ１４の状態に変化がないまま待機時間Ｔ１が経過した場合（ステップＳ１０でＹＥＳ）は、制御部６４はタイマー６５による計時を停止して（ステップＳ１３）、ステップＳ１へ戻る。なお制御部６４は、タイマー６５による計時を停止する際、同時にタイマー６５をリセットする。特に断りが無い限り、以下の別実施例においても同じとする。
【００５２】
図１１のタイミングチャートは、本実施例に係るハロゲンランプ４とファンモータ２の制御の一例を示したものである。最初の時点ｔ１では、タッチセンサ１２の検知状態（図１０のステップＳ１でＹＥＳ）において、電源スイッチ１４がオフ状態からオン状態に切り換わった（ステップＳ２でＹＥＳ）ことに基づき、制御部６４がハロゲンランプ４とファンモータ２への駆動電流の供給を開始している（ステップＳ３）。次の時点ｔ２では、タッチセンサ１２が非検知状態となった（ステップＳ４でＮＯ）ことに基づき、制御部６４がハロゲンランプ４とファンモータ２への駆動電流の供給を停止して（ステップＳ７）、タイマー６５による計時を開始している（ステップＳ８）。次の時点ｔ３では、時点ｔ２から待機時間Ｔ１が経過する前に、電源スイッチ１４がオン状態に維持されたまま、タッチセンサ１２が検知状態になった（ステップＳ９でＹＥＳ）ことに基づき、制御部６４が駆動電流の供給を再開させている（ステップＳ３）。
【００５３】
次の時点ｔ４における制御は、先に説明した時点ｔ２における制御と同じである。次の時点ｔ５では、タッチセンサ１２と電源スイッチ１４の状態に変化がないまま、待機時間Ｔ１が経過した（ステップＳ１０でＹＥＳ；ｔ５−ｔ４＝Ｔ１）ことに基づき、制御部６４はタイマー６５による計時を停止している（ステップＳ１３）。次の時点ｔ６では、タッチセンサ１２が検知状態に切り換わっている。このとき、図１０のフローチャートのステップＳ１でＹＥＳとなるが、次のステップＳ２でＮＯとなるため、この時点でステップＳ３に進む（駆動電流の供給が再開される）ことはない。ユーザーが電源スイッチ１４を一旦オフ状態に戻し、再びオン状態に切り換えた時点ｔ７において、制御部６４は駆動電流の供給を再開させている。
【００５４】
（実施例２）  図１２は、本発明をヘアードライヤーに適用した実施例２を示しており、タッチセンサ１２の配置が先の実施例１と相違する。本実施例において本体ケース１の側面は、電源スイッチ１４の操作部１５用の操作溝１３を有する円筒状のカバー７０で覆われており、該カバー７０の一部、具体的には操作部１５の周囲が、タッチセンサ１２を構成している。他は実施例１と同じであるので、同じ部材に同じ符号を付してその説明を省略する。以下の実施例においても同じとする。
【００５５】
（実施例３）  図１３は、本発明をヘアードライヤーに適用した実施例３を示しており、そこでは電源スイッチ１４の操作部１５の表面がタッチセンサ１２を構成している。これによれば、ユーザーが操作部１５を操作する際、タッチセンサ１２は必ず検知状態となる。本実施例においても、本体ケース１の側面は、操作部１５用の操作溝１３を有する円筒状のカバー７０で覆われている。
【００５６】
（実施例４）  図１４は、本発明をヘアードライヤーに適用した実施例４を示しており、そこでは本体ケース１の下面側に、軸７２を中心にして折畳み可能なグリップ７３が連結されている。グリップ７３の前面に電源スイッチ１４の操作部１５が配置されており、ユーザーはグリップ７３を握る手の１本の指で操作部１５をスライド操作することができる。そして、グリップ７３の後面にタッチセンサ１２が配置されているため、本実施例でも先の実施例１と同様に、操作部１５の操作時を含むヘアードライヤーの使用時において、タッチセンサ１２は確実に人体を検知する検知状態となる。
【００５７】
（実施例５）  図１５は、本発明をヘアードライヤーに適用した実施例５における制御の手順を示すフローチャートである。本実施例では、先の実施例１におけるタイマー６５が省略されており、駆動電流の供給中にタッチセンサ１２が非検知状態になった場合（ステップＳ２４でＮＯ）は、電源スイッチ１４がオフ状態になった場合（ステップＳ２５でＮＯ）と同様に、制御部６４は駆動電流の供給を停止して（ステップＳ２６）、最初のステップＳ２１へ戻る。つまり、駆動電流の供給を再開させるためには、ユーザーによる電源スイッチ１４の操作、具体的には、同スイッチ１４を一旦オフ状態に戻し、再びオン状態に切り換える操作が必ず必要になる。本実施例によれば、先の実施例１と比べて、ユーザーの意図に反するハロゲンランプ４の点灯と送風ファン３の駆動をより確実に防止することができる。
【００５８】
（実施例６）  図１６は、本発明をヘアードライヤーに適用した実施例６における制御の一例を示すタイミングチャートである。先の実施例１では、先にタッチセンサ１２が検知状態になり、その状態で電源スイッチ１４がオン状態になった場合にのみ、ハロゲンランプ４とファンモータ２への駆動電流の供給を開始するようにした。これに対し本実施例では、上記と同様の場合（図１６の時点ｔ１１）だけでなく、先に電源スイッチ１４がオン状態になり（時点ｔ１２）、その後でタッチセンサ１２が検知状態になった場合（時点ｔ１３）でも、駆動電流の供給を開始するようにした。
【００５９】
本実施例でもタイマー６５は省略されており、電源スイッチ１４がオン状態のまま、タッチセンサ１２が一旦非検知状態になり（時点ｔ１４）、再び検知状態になった場合（時点ｔ１５）は、非検知状態の継続時間にかかわらず、制御部６４は駆動電流の供給を再開する。本実施例によれば、先の実施例１と比べて、駆動電流の供給の開始および再開のための条件を緩和して、ユーザーの利便性を向上させることができる。ただし、ユーザーの意図に反するハロゲンランプ４の点灯などのおそれが高くなるため、タッチセンサ１２の面積を制限するなどの措置をとることが好ましい。
【００６０】
（実施例７）  図１７ないし図１９は、本発明をヘアードライヤーに適用した実施例７を示しており、そこでは電源スイッチ１４がモーメンタリ式のプッシュスイッチで構成されている。本体ケース１の側面はカバー７０で覆われており、その前端寄りの部分にタッチセンサ１２が配置されている。タッチセンサ１２は、本体ケース１の側面を一周する帯状に形成されている。本実施例では、電源スイッチ１４がオン操作されてからの有効時間Ｔ２（例えば３秒）を設定し、有効時間Ｔ２以内にタッチセンサ１２が検知状態になると、ハロゲンランプ４とファンモータ２への駆動電流の供給を開始するようにした。
【００６１】
図１８のフローチャートに示すように、電源スイッチ１４がユーザーによりオン操作（押圧操作）されると（ステップＳ３１でＹＥＳ）、制御部６４はタイマー６５による計時を開始する（ステップＳ３２）。計時を開始してからの経過時間Ｔが有効時間Ｔ２に達する前（ステップＳ３４でＮＯ）に、タッチセンサ１２が検知状態になった場合（ステップＳ３３でＹＥＳ）は、制御部６４はタイマー６５による計時を停止して（ステップＳ３５）、ハロゲンランプ４とファンモータ２への駆動電流の供給を開始する（ステップＳ３６）。一方、タッチセンサ１２が検知状態になる前（ステップＳ３３でＮＯ）に、経過時間Ｔが有効時間Ｔ２に達した場合（ステップＳ３４でＹＥＳ）は、制御部６４はタイマー６５による計時を停止して（ステップＳ３７）、ステップＳ３１へ戻り、再び電源スイッチ１４がオン操作されるのを待つ。
【００６２】
駆動電流の供給を開始した制御部６４は、タッチセンサ１２の検知状態（ステップＳ３８でＹＥＳ）が維持される間、駆動電流を供給し続ける。タッチセンサ１２が非検知状態になると（ステップＳ３８でＮＯ）、制御部６４は駆動電流の供給を停止して（ステップＳ３９）、タイマー６５による計時を開始する（ステップＳ４０）。経過時間Ｔが待機時間Ｔ１に達する前（ステップＳ４２でＮＯ）に、タッチセンサ１２が検知状態になった場合（ステップＳ４１でＹＥＳ）は、制御部６４はタイマー６５による計時を停止して（ステップＳ４３）、ステップＳ３６へ戻り、ハロゲンランプ４とファンモータ２への駆動電流の供給を再開する。一方、タッチセンサ１２が非検知状態（ステップＳ４１でＮＯ）のまま、待機時間Ｔ１が経過した場合（ステップＳ４２でＹＥＳ）は、制御部６４はタイマー６５による計時を停止して（ステップＳ４４）、ステップＳ３１へ戻る。
【００６３】
図１９のタイミングチャートは、本実施例に係るハロゲンランプ４とファンモータ２の制御の一例を示したものである。最初の時点ｔ２１〜ｔ２２では、電源スイッチ１４がオン操作されてから（図１８のステップＳ３１でＹＥＳ）、有効時間Ｔ２が経過する前に、タッチセンサ１２が検知状態になった（ステップＳ３３でＹＥＳ）ことに基づき、制御部６４がハロゲンランプ４とファンモータ２への駆動電流の供給を開始している（ステップＳ３６）。
【００６４】
次の時点ｔ２３では、タッチセンサ１２が非検知状態となった（ステップＳ３８でＮＯ）ことに基づき、制御部６４が駆動電流の供給を停止して（ステップＳ３９）、タイマー６５による計時を開始している（ステップＳ４０）。次の時点ｔ２４では、タッチセンサ１２が非検知状態（ステップＳ４１でＮＯ）のまま待機時間Ｔ１が経過して（ステップＳ４２でＹＥＳ）、再び電源スイッチ１４がオン操作されるのを待つ状態（ステップＳ３１）に戻っている。
【００６５】
次の時点ｔ２５では、先に説明した時点ｔ２１と同様に、電源スイッチ１４がオン操作されて、タイマー６５による計時が開始されている。次の時点ｔ２６では、タッチセンサ１２が検知状態になる前（ステップＳ３３でＮＯ）に、有効時間Ｔ２が経過して（ステップＳ３４でＹＥＳ）、タイマー６５による計時が停止されている（ｔ２６−ｔ２５＝Ｔ２）。次の時点ｔ２７でタッチセンサ１２が検知状態になっているが、これは有効時間Ｔ２の経過後であるため、制御部６４は駆動電流の供給を開始していない。
【００６６】
上記の各実施例では、発光体４をハロゲンランプで構成したが、本発明はこれに限られず、カーボンランプやＬＥＤランプなどで発光体４を構成してもよい。本体ケース１は円筒状以外に、楕円筒状や多角形筒状などに形成することができる。電源スイッチ１４を省略し、タッチセンサ１２が人体を検知すると発光体４が直ちに点灯するように構成してもよい。送風手段３も省略することができる。本発明は、人用に限らず犬や猫など動物用のドライヤーにも適用することができる。
【００６７】
上記の各実施例に係るドライヤーは、以下の形態で実施することができる。
【００６８】
加熱源としての発光体４と、人体の接触または近接を検知するタッチセンサ１２とを備えており、
発光体４の点灯状態において、タッチセンサ１２が人体を検知する検知状態から、人体を検知しない非検知状態になると、発光体４が消灯するように構成されていることを特徴とするドライヤー。
【００６９】
本発明に係るドライヤーは、加熱源としての発光体４に加えて、人体の接触または近接を検知するタッチセンサ１２を備えており、このタッチセンサ１２が人体を検知しない非検知状態になると、発光体４が消灯するように構成した。このドライヤーによる毛髪等の乾燥を終えたユーザーは、タッチセンサ１２から人体を離すだけで発光体４を消灯させることができる。従って、本発明によれば、ユーザーに煩わしい操作を要求することもなく、毛髪等の乾燥後のユーザーの意思を速やかに反映させることができ、使い勝手に優れたドライヤーを提供することができる。
【００７０】
発光体４がハロゲンランプであるドライヤー。
【００７１】
ハロゲンランプは、ランプの中で比較的小型でありながら、発熱量が多いという特徴がある。従って、発光体４としてハロゲンランプを採用すると、ドライヤーの小型化と毛髪等の乾燥効率の向上に寄与することができる。
【００７２】
一端に照射口９を有する筒状の本体ケース１を備えており、
本体ケース１の内部に発光体４が配置されて、照射口９に正対しており、
本体ケース１の外面にタッチセンサ１２が配置されているドライヤー。
【００７３】
発光体４を内部に収容する本体ケース１の外面にタッチセンサ１２を配置すると、ユーザーが本体ケース１を手で掴むだけで、タッチセンサ１２は検知状態となる。ユーザーにとっては、タッチセンサ１２に無理なく触れることが可能となり、ドライヤーの使い勝手が向上する。
【００７４】
本体ケース１の周方向の全長にわたってタッチセンサ１２が配置されているドライヤー。
【００７５】
本体ケース１の周方向の一部にのみタッチセンサ１２が配置されていると、ユーザーがタッチセンサ１２の位置を意識せずに本体ケース１を手で掴んだとき、指がタッチセンサ１２に触れず、タッチセンサ１２が検知状態にならないことがある。これに対して本発明のように、本体ケース１の周方向の全長にわたってタッチセンサ１２を配置すると、ユーザーがタッチセンサ１２の位置を意識せずに本体ケース１を掴んだ場合でも、タッチセンサ１２が検知状態になる可能性が高くなる。ユーザーにとっては、指がタッチセンサ１２に触れるように本体ケース１を持ち替える機会が大幅に少なくなり、ドライヤーの使い勝手が向上する。
【００７６】
本体ケース１の内部に配置される送風手段３を備えており、
本体ケース１の一端に照射口９を兼ねる吹出口８が形成され、他端に吸込口７が形成されているドライヤー。
【００７７】
本体ケース１の内部に送風手段３を配置すると、発光体４とその周囲を風で冷却して、これらが過熱状態に陥ることを防止することができる。また、発光体４を通過することで加熱された温風を、照射口９を兼ねる吹出口８からユーザーの毛髪等へ供給して、この温風と発光体４からの赤外線とで毛髪等を乾燥させることができ、従って毛髪等の乾燥効率を向上させることができる。
【００７８】
ユーザーによりオンオフ操作される電源スイッチ１４を備えており、
電源スイッチ１４がオフ状態のときに、タッチセンサ１２が人体を検知しても、発光体４は点灯しないように構成されているドライヤー。
【００７９】
電源スイッチ１４がオフ状態のときに、タッチセンサ１２が人体を検知しても（ユーザーがタッチセンサ１２に触れても）、発光体４は点灯しないように構成すると、ユーザーの意図に反する発光体４の点灯をよく防止することができる。タッチセンサ１２はユーザーの意識の有無にかかわらず、検知状態に切り換わることがあるが、電源スイッチ１４はユーザーが意識して操作しなければ、オン状態に切り換わることは少ない。そのため、タッチセンサ１２の状態のみに基づいて発光体４を制御する場合は、不意にタッチセンサ１２が人体を検知して発光体４が点灯し、ユーザーを驚かせるおそれがあるが、本発明のように電源スイッチ１４を設けると、ユーザーは発光体４の点灯を見越して電源スイッチ１４を操作するのが普通であるため、発光体４の点灯に驚くことは稀である。
【００８０】
発光体４の消灯後に、電源スイッチ１４がオン操作されないまま、タッチセンサ１２が人体を再検知しても、発光体４は点灯しないように構成されているドライヤー。
【００８１】
発光体４の消灯後に、電源スイッチ１４がオン操作されないまま、タッチセンサ１２が人体を再検知しても、発光体４は点灯しないように構成することができる。これによれば、ドライヤーの使用を終えたユーザーが、タッチセンサ１２に不用意に触れてしまった場合に、発光体４が無駄に点灯することを確実に防止することができる。
【００８２】
発光体４の消灯後に、電源スイッチ１４がオン操作されて、かつ、タッチセンサ１２が人体を再検知すると、発光体４が点灯するように構成されているドライヤー。
【００８３】
発光体４の消灯後に、電源スイッチ１４がオン操作されて、かつ、タッチセンサ１２が人体を再検知すると、発光体４が点灯するように構成することができる。このように、発光体４の再点灯にあたり、ユーザーに電源スイッチ１４のオン操作を要求すると、ユーザーの意図に反する発光体４の再点灯を確実に防止することができる。
【００８４】
タッチセンサ１２が人体を検知する状態で、電源スイッチ１４がオン操作されて初めて発光体４が点灯するように構成されているドライヤー。
【００８５】
タッチセンサ１２が人体を検知する状態で、電源スイッチ１４がオン操作されて初めて発光体４が点灯するように構成することができる。換言すれば、先に電源スイッチ１４がオン状態に切り換わり、その状態でタッチセンサ１２が人体を検知しても、発光体４は点灯しないように構成した。これによれば、ユーザーが以前に電源スイッチ１４を切り忘れていた場合の、発光体４の不意な点灯を防止することができる。すなわち、本発明とは逆に、タッチセンサ１２より先に電源スイッチ１４をオン操作することを許容する場合は、電源スイッチ１４を切り忘れた状態で、ユーザーがドライヤーを手に取ったとき、指がタッチセンサ１２に触れて、タッチセンサ１２が検知状態となり、発光体４が点灯することがある。これに対して本発明のように、タッチセンサ１２の検知状態における電源スイッチ１４のオン操作のみを許容すると、ユーザーがドライヤーを手に取っただけでは発光体４が点灯することはなく、不意な点灯でユーザーを驚かせることは無い。
【００８６】
発光体４を収容する本体ケース１の外面に、電源スイッチ１４の操作部１５が配置されており、
操作部１５がタッチセンサ１２を構成するドライヤー。
【００８７】
電源スイッチ１４の操作部１５がタッチセンサ１２を構成していると、ユーザーは電源スイッチ１４を操作するときに、意識することなくタッチセンサ１２を検知状態に切り換えることができ、これによりユーザーの利便性が向上する。
【００８８】
発光体４の消灯の時点から計時を開始するタイマー６５を備えており、
計時を開始してからの経過時間Ｔが所定の待機時間Ｔ１に達する前に、タッチセンサ１２が人体を再検知すると、発光体４が点灯するように構成されており、
経過時間Ｔが待機時間Ｔ１に達してから、タッチセンサ１２が人体を再検知しても、発光体４は点灯しないように構成されているドライヤー。
【００８９】
ドライヤーの使用中に、ユーザーの指がタッチセンサ１２から浮き離れて、発光体４が消灯することがある。使用の途中でドライヤーを例えば右手から左手に持ち替えるときに指がタッチセンサ１２から離れることもある。これらの場合に、ユーザーが直ちにタッチセンサ１２に触れ直したとしても、電源スイッチ１４の再操作を要求することは、ユーザーの利便性の観点から好ましくない。そこで本発明では、発光体４の消灯の時点からの経過時間Ｔをタイマー６５で計測し、経過時間Ｔが所定の待機時間Ｔ１に達する前にタッチセンサ１２が人体を再検知した場合は、ユーザーに電源スイッチ１４の再操作を要求することなく、発光体４を点灯させるようにした。これにより、ユーザーの利便性を向上させることができる。
【００９０】
吸込口７と吹出口８を備える筒状の本体ケース１の内部に、送風手段３と発光体４が配置されており、
照射口９を兼ねる吹出口８と発光体４との間に、発光体４から放射される電磁波の一部を吸収する光学フィルタ６０が配置されており、
光学フィルタ６０が、吹出口８に装着された吹出グリル５３で支持されているドライヤー。
【００９１】
本体ケース１の内部に送風手段３と発光体４を配置し、吹出口８と発光体４の間に光学フィルタ６０を配置すると、発光体４から放射される電磁波の吸収により発熱した光学フィルタ６０を、吹出口８に向かって流れる風で冷却することができる。さらに、光学フィルタ６０を吹出グリル５３で支持すると、光学フィルタ６０の熱を吹出グリル５３を介して放熱することができる。
【００９２】
吹出グリル５３が、本体ケース１の内周面に沿うリング状に形成されており、
照射口９に臨む光学フィルタ６０の一面の周縁部が、吹出グリル５３の内周面に設けられた段部６１で支持されており、
発光体４の光源３８の周囲に、照射口９に向かって開口する集光用のリフレクタ４２が配置されており、
光源３８に臨む光学フィルタ６０の他面の周縁部が、リフレクタ４２の開口周縁で支持されており、
光学フィルタ６０の周縁部が厚み方向の両側から段部６１とリフレクタ４２により挟持固定されているドライヤー。
【００９３】
リング状に形成した吹出グリル５３の内周面に、照射口９に臨む光学フィルタ６０の一面の周縁部を支持する段部６１を形成し、発光体４の光源３８の周囲に配置した集光用のリフレクタ４２の開口周縁で、光源３８に臨む光学フィルタ６０の他面の周縁部を支持する。そして、光学フィルタ６０の周縁部を厚み方向の両側から段部６１とリフレクタ４２により挟持固定する。これによれば、光学フィルタ６０を支持するための専用の部材を別途用意する場合に比べて、ドライヤーの部品点数を減らして、その製造コストを削減することができる。
【００９４】
本体ケース１の内部に、リフレクタ４２の外周面を支持する支持枠４７が設けられており、
支持枠４７は放射状に組まれた板材４８・４９からなり、送風手段３により生成される風の整流体を兼ねるドライヤー。
【００９５】
リフレクタ４２を支持する支持枠４７が、放射状に組まれた板材４８・４９からなり、送風手段３により生成される風の整流体を兼ねる。これによれば、リフレクタ４２の支持構造と風の整流体とを別部材で構成する場合に比べて、ドライヤーの部品点数を減らして、その製造コストを削減することができる。
【００９６】
発光体４が支持枠４７で支持されているドライヤー。
【００９７】
支持枠４７でリフレクタ４２に加えて発光体４を支持すると、リフレクタ４２と発光体４をそれぞれ別の部材で支持する場合に比べて、ドライヤーの部品点数を減らして、その製造コストを削減することができる。
【符号の説明】
【００９８】
１  本体ケース
３  送風手段（送風ファン）
４  発光体（ハロゲンランプ）
７  吸込口
８  吹出口
９  照射口
１２  タッチセンサ
１４  電源スイッチ
１５  操作部
３８  光源
４２  リフレクタ
４７  支持枠
４８  板材（幅広板）
４９  板材（幅狭板）
５３  吹出グリル
６０  光学フィルタ
６１  段部
６４  制御部
６５  タイマー
【図１】
2019072373.tif 000003
【図２】
2019072373.tif 000004
【図３】
2019072373.tif 000005
【図４】
2019072373.tif 000006
【図５】
2019072373.tif 000007
【図６】
2019072373.tif 000008
【図７】
2019072373.tif 000009
【図８】
2019072373.tif 000010
【図９】
2019072373.tif 000011
【図１０】
2019072373.tif 000012
【図１１】
2019072373.tif 000013
【図１２】
2019072373.tif 000014
【図１３】
2019072373.tif 000015
【図１４】
2019072373.tif 000016
【図１５】
2019072373.tif 000017
【図１６】
2019072373.tif 000018
【図１７】
2019072373.tif 000019
【図１８】
2019072373.tif 000020
【図１９】
2019072373.tif 000021